(57)【要約】本発明は、原点にマイクが配置されている固定座標系において、少なくとも１つの音源の位置および／または方向を決定するためのデバイスに関する。音源の分散に依存して、マイクに対する個々の音源の位置を正確に決定し、マイク信号の指向性を調整するために、マイクは、少なくとも２つのカプセルを含んでおり、マイクは、個々のカプセルによって生成された信号を処理することによって、可変指向性を有している。また、デバイスは、バンドル光を放出する光源（４）を有しており、上記光源（４）は、例えば、レンズおよび／またはアパーチャ、固定座標系に対する光ビームの方向を変化させるための手段、ならびに固定座標系に対する光ビームの方向を決定するための手段を備えたレーザまたは光源である。
2009509361.tif 000002
【特許請求の範囲】
【請求項１】
原点にマイクが配置されている固定座標系において、少なくとも１つの音源の位置および／または方向を決定するためのデバイスであって、
該マイクは、少なくとも２つのカプセルを含んでおり、該マイクは、個々のカプセルによって生成された信号を処理することによって、可変指向性を有していることと、
該デバイスは、バンドル光を放出する光源（４）を有しており、該光源（４）は、例えば、レンズおよび／またはアパーチャ、固定座標系に対する光ビームの方向を変化させるための手段、ならびに固定座標系に対する光ビームの方向を決定するための手段を備えたレーザまたは光源であることと
を特徴とする、デバイス。
【請求項２】
前記光源（４）は、前記マイクの非常に近くに配置されており、該光源（４）は、該マイクに対して移動可能であること
を特徴とする、請求項１に記載のデバイス。
【請求項３】
移動可能な偏向手段（１４）が提供されており、該移動可能な偏向手段（１４）は、例えば、光ビームの方向を変化させるための、ミラーまたはグラスファイバーであること
を特徴とする、請求項１に記載のデバイス。
【請求項４】
前記光源（４）は、該光源（４）が、前記マイクの位置に対して軸のまわりで回転することができるように取り付けられていること
を特徴とする、請求項２に記載のデバイス。
【請求項５】
光学的デバイス（６）が提供されており、該光学的デバイス（６）は、例えば、ミラー、レンズ、プリズム、または光源（４）によって放出された光ビーム（７）のための、同様のデバイスであること
を特徴とする、請求項２または請求項４に記載のデバイス。
【請求項６】
前記光ビームの方向を決定するための手段は、測定スティック（９）であること
を特徴とする、請求項１〜請求項５のいずれか一項に記載のデバイス。
【請求項７】
前記光ビームの方向を決定するための手段は、センサから構成されており、該センサは、好適には無線送信器に接続されていること
を特徴とする、請求項１〜請求項６のいずれか一項に記載のデバイス。
【請求項８】
光源（４）を動かすために、好適には遠隔制御されるモータが提供されていること
を特徴とする、請求項２〜請求項７のいずれか一項に記載のデバイス。
【請求項９】
前記マイクは、音場マイク（１２）であること
を特徴とする、請求項１〜請求項８のいずれか一項に記載のデバイス。
【請求項１０】
前記マイクは、アレイマイク（１３）であること
を特徴とする、請求項１〜請求項８のいずれか一項に記載のデバイス。
【請求項１１】
少なくとも２つのカプセルを含んだマイクを用いて録音を実行するための方法であって、該マイクは、個々のカプセルによって生成された信号をマイク信号に処理することによって、可変指向性を有しており、
該カプセルの配置に対する少なくとも１つの音源の位置および／または方向は、請求項１〜請求項１０のいずれか一項に記載のデバイスを用いて決定されることと、
結果として生じたマイク信号の指向性は、該少なくとも１つの音源の位置および／または方向に関する情報に基づいて調整されることと
を特徴とする、方法。
【発明の詳細な説明】
【技術分野】
【０００１】
本発明は、原点にマイクが配置されている固定座標系内の少なくとも１つの音源の位置および／または方向を決定するためのデバイスに関する。
【背景技術】
【０００２】
特許文献１は、可変指向性を有するマイクを開示している。目的の音源に対し、動作中にそのようなマイクの指向性効果を設定するために、またはいくつかのマイクの配置を設定するために、上記マイクに対して固定された位置にビデオカメラが提供され、上記ビデオカメラは、画像処理ユニットに接続される。ビデオデータは、画像処理ユニット内で処理され、上記マイクに対する相対的な位置を決定するために用いられる。音源の位置の変化に依存して、指向性が、例えばローブ（ｌｏｂｅ）が、音源に合わせて旋回する。ビデオデータの評価には、多大な労力が必要とされるが、ビデオデータの自動的評価は、常に信頼性があるとは限らない。なぜならば、その他の（動いている）物体が、間違って音源として解釈され得るからである。さらに、同時に考慮されるべき音源がいくつか存在する場合、位置の決定は不正確になり、エラーをもたらし得、画像処理ユニットによって認識されなくなる。
【０００３】
特許文献２は、マイクに関連する、移動音源を追跡し得るカメラを含んだデバイスを開示している。さらに、レーザビームによって形成されたシリンダーバレルまたはチューブが、音源に向けた方向に形成され、音波はその中では、妨害を受けずに、マイクに向けた方向に伝播することが可能であり得る。このデバイスを用いて正確な位置決定を達成することは不可能である。唯一の目的は、カメラを用いて音源を追跡し、音源に向けてレーザチューブを配向することだけである。
【０００４】
特許文献３は、３つの圧力勾配マイクを含んだカメラを開示しており、３つのカメラのうちの２つは前方に向けられ、３つのカメラのうちの１つは後方に向けられる。この発明の目的は、ミキシング比を用いることにより、システム全体の指向性を、カメラのズームの関数として変化させることである。マイクは、カメラの上の固定された位置に配置される。この配置は、個々の音源の位置を決定するためには用いられないが、オーディオ信号を変化させるためには用いられる。これは、観察者によって、ズームインまたはズームアウトを用いて、同時に観察され得る。
【０００５】
特許文献４は、変化しない指向性を有するマイクを開示している。レーザポインタがマイク内に配置され、レーザビームはマイクの感度が最大になる方向を指すことができる。レーザが音源の方向を指す結果、マイクの最適な方向または向きが決定され得る。
【０００６】
同様に、特許文献５は、変化しない指向性を有する指向性マイクを含んだマイク装置を開示している。上記マイクは、感度の軸（ａｘｉｓ  ｏｆ  ｓｅｎｓｉｔｉｖｉｔｙ）を有しており、この軸に沿って、マイクは音を感知し得る。指向性マイクには光源がリジッドに接続され、感度が最大になる方向に光ビームを生成する。マイクの最適な向き付けを実現するためには、ビームは音源（例えば、コンサートホールにおける聴衆）に向けられなければならない。レーザは、ユーザがマイクを保持するための補助に過ぎない。
【０００７】
非特許文献１は、完全に異なるカテゴリーに属する論文であるが、心理音響学および聴覚学の分野における、音の位置を調べるための方法を開示している。被験者は、カーテンによってマスクされたスピーカの半円配置の仮想的中心に配置される。知覚された聴覚的方向を表示するために、レーザスポットが用いられる。レーザスポットの位置は、被験者によって、トラックボールを用いて調整される。レーザスポットは、ボールの回転にしたがって、レーザスキャナを用いて定義された軌道の上を滑らかに移動する。そのような位置決定に関する研究は、マイクの録音とは何も関係がない。これらの研究は、人間によって音源が推定される方向を決定することを可能にする方法を提供しているに過ぎない。
【０００８】
本発明の分野に関連している特許文献６はまた、音声事象の録音が一切行われないので、従来技術の異なるカテゴリーにも属している。特許文献６は、入ってくる音の方向を示す音響測定装置について記載しており、上記装置は、その最大の感度が、共通の水平面に存在する９０°分離された４本の直線となるように、配置され得る。音受信ユニットによって生成された信号の各々は、ポインタを含んだ電磁指示器との誘導結合を介して通信を行うコイルに供給され得る。ポインタは、ポインタ内の磁場がポインタを均衡的な位置（ポインタは、この位置において、観察されている音波が進む方向に向けられる）につかせるように、設計および電気的に接続される。特許文献６の音響測定装置は、軍事目的に用いられている。
【０００９】
特許文献７もまた、音源を調べるための方法を開示している。測定表面上に配置された複数のマイクを用いることにより、音源の分散が生成される。音源の座標を決定するために、レーザビームが用いられる。音源の分散は、いくつかの音源の位置に対して測定される。音源の分散と音源の座標との組み合わせは、以下のように、測定表面のみを用いることにより、音源の方向を決定することを可能にする。
【００１０】
特許文献８は、可視光および不可視光を感知可能であって、対象を識別することが可能なカメラを開示している。対象は、カメラに取り付けられた不可視光の照明器を用いることにより、識別される。
【００１１】
特許文献９は、マイクおよび音声作動式ＬＥＤを有する通信機を含んだビデオ会議に命令するための自動ステアリング制御を開示している。カメラは、ＬＥＤ発光体によって送信されたＬＥＤ信号を受信し、作動されたＬＥＤ発光体に関連するスピーカに焦点を合わせる。本発明の分野に関連する特許文献８および特許文献９の両方は、従来技術の完全に異なる分野に属している。
【００１２】
音声事象を録音する場合、例えば、音楽を録音する場合に、通常、いくつかのマイクが用いられる。このコンテクストで生成された信号は、録音中または録音後に互いにミキシングされる。ここで、指向性、空間内の方向、等の性質が変化しないマイクと、指向性が変化し、空間内で回転し得るマイクとを、識別することができる。これらの性質は、録音の前後に、機械的（例えば、回転または旋回によって）または電気的に実現され得る。
【００１３】
高品質の録音を生成するためには、マイクの指向性に関連して、マイクに対する音源（単数または複数）の相対的な位置を知ることが絶対に不可欠である。従来技術において、いくつかの個別のカプセル（ｃａｐｓｕｌｅ）から構成されたマイクが公知である。これらは、例えば、いわゆる音場マイク（ｓｏｕｎｄ  ｆｉｅｌｄ  ｍｉｃｈｒｏｐｈｏｎｅ）またはアレイマイク（ａｒｒａｙ  ｍｉｃｒｏｐｈｏｎｅ）を含む。
【００１４】
音場マイクは、４つの圧力勾配カプセルから構成されたマイクであり、個々のカプセルの膜が、四面体の面に本質的に平行になるように、個々のカプセルは、四面体形状に配置される。これらの個々のカプセルの各々は、信号Ａ、Ｂ、Ｃ、Ｄを発生する。これらの圧力勾配受信器の各々は、全指向性から偏向した指向性を提供し、これは、（１−ｋ）＋ｋ×ｃｏｓ（θ）の形で近似され得る。ここで、θはカプセルが音に曝されるときの方位角であり、比率ｋは、全指向性の信号からどれだけ強く偏向しているかを示している（球面においては、ｋ＝０であり；８の字形では、ｋ＝１である）。個々のマイクの各々の指向性の円筒軸は、四面体の膜に垂直であるか、あるいは四面体の面に対応する。このようにして、個々のマイクは、異なる方向において、それらの指向性の最大値を示す。
【００１５】
上述の計算にしたがうと、４つの信号はいわゆるＢフォーマット（Ｗ，Ｘ，Ｙ，Ｚ）に変換される。計算方法は、
Ｗ＝１／２（Ａ＋Ｂ＋Ｃ＋Ｄ）
Ｘ＝１／２（Ａ＋Ｂ−Ｃ−Ｄ）
Ｙ＝１／２（Ａ＋Ｂ＋Ｃ−Ｄ）
Ｚ＝１／２（Ａ＋Ｂ−Ｃ＋Ｄ）
である。
【００１６】
生成された信号は、全指向性（Ｗ）および８の字形（Ｘ，Ｙ，Ｘ）に対応している。ここで、これらは互いに直交しており、各々は、ｘ、ｙおよびｚ方向に延びている。そのような音場マイクは、関連した計算方法と共に、例えば、特許文献１０に記載されている。上記特許文献の全内容は、参照により本明細書に援用される。
【００１７】
上述の全マイクの指向性に依存して、Ｂフォーマット信号の全てまたは一部を互いに組み合わせることが可能である。例えば、全指向性を示す信号と８の字形の信号特性を示す信号とを組み合わせることにより、カージオイド形のパターンを得ることができる。ここの信号に重みを付けることにより、全信号に対し、任意の望ましい指向性と共に、望ましい選択された向きを得ることができる。Ｂフォーマット信号を介した個々のカプセル信号のそのような組み合わせは、「全マイクの合成」とも称される。そのようなマイクの大きな利点は、所望の指向性が、個々のＢフォーマット信号の適切なミキシングにより、音声事象が発生した後にも設定され得るということである。
【００１８】
しかしながら、所望の指向性は、録音される音源に依存する。特定の音源（例えば、オーケストラ内のソロ演奏）の録音の間または録音の後のミキシング時に、そのようなマイクを方向付けることを可能にするためには、マイクに対する音源の相対的な位置が知られなければならない。より重要なことには、マイクの「主方向（ｐｒｉｎｃｉｐａｌ  ｄｉｒｅｃｔｉｏｎ）」に対する音源の相対的な位置が知られなければならない。
【００１９】
「主方向」という表現は、引用符付きで示されているが、これは、そのような音場マイクは、機械的に調整された選択的方向を事実上一切有さないからである。原理的には、４つの等しい主方向が存在する（各々は、膜に垂直である）。選択的な方向は、個々のカプセル信号から全信号を合成する時点にのみ存在する。しかしながら、この選択的な方向は、信号処理技術を用いて回転され得る。とはいえ、音源の位置の決定において、「機械的な主方向（ｍｅｃｈａｎｉｃａｌ  ｐｒｉｎｃｉｐａｌ  ｄｉｒｅｃｔｉｏｎ）」を定義することは、有利である。「機械的な主方向」は、任意の方法で選択され得る；しかしながら、主方向に対する個々のカプセルの配置が知られなければならない。言い換えると、そのように定義された主方向を示すことにより、空間内において個々のマイクのカプセルを方向付ける方法を確立することができる。音場マイクの場合、そのような「主方向」は、前方のみから視認可能なＬＥＤの形態でマーキングすることにより、実現され得る。「主方向」の定義により、原点にマイクまたはカプセルの真ん中が位置するような座標系を同時に確立することができる。
【特許文献１】独国特許出願公開第１９８５４３７３号明細書
【特許文献２】国際公開第０２／２５６３２号パンフレット
【特許文献３】特許第５６０３５５９６号公報
【特許文献４】特公平１１−３３１９７７号公報
【特許文献５】米国特許第６，５２２，７６１号明細書
【特許文献６】英国特許第３４４，９６７号明細書
【特許文献７】特開２０００−０７５０１４号公報
【特許文献８】米国特許第６，７２７，９３５号明細書
【特許文献９】米国特許出願公開第２００３／０１８４６４５号明細書
【特許文献１０】米国特許第４，０４２，７７９号明細書
【非特許文献１】Ｂｅｒｎｈａｒｄ  Ｓｅｅｂｅｒ、「Ａ  ｎｅｗ  ｍｅｔｈｏｄ  ｆｏｒ  ｌｏｃａｌｉｚａｔｉｏｎ  ｓｔｕｄｉｅｓ」、Ａｃｔａ  Ａｃｕｓｔｉｃａ、ｖｏｌ．８８、ｎｏ．３、２００２
【発明の開示】
【発明が解決しようとする課題】
【００２０】
ここで、本発明の目的は、録音の後処理の間に、個々の音源（これらは、可能な範囲にまでフィルタされなければならない干渉音源かもしれない）に対処することを可能にすることである。マイクの主方向が知られると、すなわち、空間内に配置されたカプセルの向きが決定されると、後の段階において、このいわゆる機械的な主方向に対するマイク（指向性および空間内の方向）の挙動に影響を与えることが可能である。
【課題を解決するための手段】
【００２１】
本発明にしたがうと、この目的は、以下の事実により、導入部において言及されたデバイスを用いて達成され得る：マイクは、少なくとも２つのカプセルを含んでおり、上記マイクは、個々のカプセルによって生成された信号を処理することにより、可変指向性を有している。また、上記デバイスは、バンドル光（ｂｕｎｄｌｅｄ  ｌｉｇｈｔ）を放出する光源を有している。上記光源は、例えば、レンズおよび／またはアパーチャ、固定座標系に対する光ビームの方向を変化させるための手段、ならびに固定座標系に対する光ビームの方向を決定するための手段を備えたレーザまたは光源のようなものである。
【００２２】
本発明にしたがうと、この目的はまた、以下のようなマイクを用いた録音を実行する方法によっても達成される。このマイクは、少なくとも２つのカプセルを含んでおり、上記マイクは、ここのカプセルによって生成された信号を処理することにより、可変指向性を有しており、これにより、本発明にしたがうデバイスを用いることによって、カプセルの配置に対して少なくとも２つの音源の位置および／または方向が決定される。また、結果として生じたマイク信号の指向性は、少なくとも２つの音源の位置および／または方向に関する情報に依存して調整される。
【００２３】
本発明の変形において、光ビームが音源（または音声事象の間に音源によって想定される位置）に向けて配向されるプロセスにおいて、所定の「機械的な主方向」に対する角度が決定される。例えば、オーケストラの音楽を録音する前に、光ビームが個々のオーケストラメンバーに向けられ、主方向に対する角度（方位角および仰角）が決定され得る。そのような地図学的に記述されたオーケストラのランドスケープは、特定の空間領域を強調し、特定の方向からの干渉ノイズまたは誤り（不適切に演奏された音符）をフィルタするために、ミキシングを行う間に用いられる。これらのプロセスは、時間の関数として、例えば、オーケストラのコンサートにおけるソロパートが動いた際に実行されることが、自然である。
【発明を実施するための最良の形態】
【００２４】
本発明は、図面を参照することにより、さらに詳細に記載される。
【００２５】
図１は、本発明の１つの可能な実施形態を示しており、ここでは、レーザ４が、マイク１のポール２上に配置されている。個々のカプセルは、例えば、図３（音場マイク）または図４（アレイマイク）にしたがう配置で、マイクグリッド（ｍｉｃｒｏｐｈｏｎｅ  ｇｒｉｄ）の背後において上部球面領域に配置されている。
【００２６】
レーザ４は、ガイドレール５上において、軸（ポール）２に対して半径方向にシフトされ得る。レール５は、軸２に対して回転可能なように配置されている。回転対称な湾曲ミラーライン６は、軸の中間から半径方向に分離したレーザ４の関数として、レーザビーム７を偏向させる。レーザビーム７は、音源に向けて配向され、マイク軸の軸８を事実上通過する。ミラー６と球面領域３におけるカプセル配置との間のズレは、評価に対しては一切の影響を有さないか、評価に対してはわずかな影響しか有さない。なぜならば、このズレは、録音される（単数または複数の）音源からの全マイク１の離れ具合と比較して、無視できるほど小さいからである。
【００２７】
ガイドレール５上に配置された測定スティック９は、瞬間的な仰角を示し、ポールの周辺の測定スティック（図示されず）は、瞬間的な方位角を示す。これら２つの角度を用いることにより、明確かつ正確に、音源１０の方向を決定することができる。この場合、マイクのポールの軸８は、上記で定義された主方向であり得る。しかしながら、主方向として任意の方向を用いることが可能であり、主方向に対する対応する角度を用いることにより、音源の位置を逆に計算するによって、決定または計算することができる。ミラー６の代わりに、その他の光学的偏向デバイス、例えば、レンズ、プリズム、またはその他のパーツもまた、考えることができる。
【００２８】
偏向ミラーの代わりに、光源４はまた、図２に表されているように、２つの空間的方向のまわりで回転することができるように、取り付けられ得る。この場合、マイクによって引き起こされる小さな影領域を除いて、全３６０°領域が感知され得る。光源の角度または位置の決定は、自動的なトランスデューサまたはセンサを用いることによって実行され得、データは、センサに接続された無線送信器を用いた無線送信によって、コンピュータに送信され得る。レーザの方向もまた、手動で制御される代わりに、モータによって制御され、これは、好適には、例えばジョイスティックを用いることにより、遠隔制御され得る。これは、特にコンサートホール（ここでは、マイクへのアクセスが困難である）において、好適な実施形態である。その後、光源から決定される音源の位置は、ステップモータの実際の位置から決定され得る。
【００２９】
マイク上の直接的な配置の代わりに、位置決定のためのデバイスは、マイク用スタンド、マイク用三脚、またはマイク用懸架装置上に提供され得、好適には、マイクホルダーの領域上またはマイクホルダーの領域内に提供され得る。しかしながら、カプセルまでの距離は大きくなり過ぎないようにしなければならない。なぜならば、幾何学的配置に起因するエラーは、もはや無視できる程度のものではないかもしれないからである。本発明にしたがう光源は、マイクの位置の非常に近くに配置され得る。この定式化では、音源の位置の決定のために、デバイスはまず、マイクの意図された位置またはその位置の近くに配置されるということ、ならびに音源の測定後のみに、上記位置にマイクが取り付けられるということを考慮しなければならない。音源の位置に関する情報が、次のミキシング時点のみにおいて利用可能になると、位置の決定はまた、録音後のみに可能になり得る。ここで重要な要素は、位置（マイクはこの位置において録音を行っている）および固定座標系（この固定座標系に対する個々のカプセルの配置および向きが知られなければならない）である（基準方向として主方向を確立することに関する上記の説明を参照のこと）。一旦定義されると、固定座標系は、ここのカプセルの空間的配置によって、決定される。
【００３０】
図５に示されている本発明の実施形態において、光源４は、音源１０の位置を決定するときに、マイクおよび固定座標系に対して動かない。可動光源の代わりに、可動偏向手段１４が提供され、光源４によって放出された光ビーム７を所望の方向に配向する。偏向手段１４は、例えば、横方向に可動なミラーまたは回転ミラー（図５において示されているような、回転可能なヒンジを用いて支持部１５に固定されているようなミラー）、または光ビームのダクトとして機能する可動および／またはフレキシブルなグラスファイバーであり得る。上記の場合、光源そのものは必須ではないが、ビームの方向を決定する偏向手段１４が、マイクの近くに配置されなければならない。偏向手段１４は、手動または自動で（好適な実施形態においては、例えば、ステップモータによる遠隔制御によって）調整され得る。
【００３１】
本発明の有利な効果は、オーケストラの録音に関連して、最も容易に説明される。録音のためには、本発明にしたがうマイクは、オーケストラの近くに配置されなければならない。機械的な主方向が確立された後、光ビームは、オーケストラメンバーの異なる（まだ座られていない）イスに次々と配向され、主方向に対する角度が測定される。このコンテクストにおいては、音源の測定後に、マイクの位置および向きは、もはや変化しないということを考慮しなければならない。録音のミキシングの間、既に測定された角度を用いることにより、各オーケストラメンバーに対して、指向性効果が正確に配向され得る。
【００３２】
図３は、音場マイク１２のカプセルの配置を示している。導入部において既に詳しく説明されたように、ここでは、４つの圧力勾配カプセル１１が、正四面体の形状に配置されている。しかしながら、本発明は、音場マイクに限定されない。少なくとも２つのカプセルを有するマイク（その信号は、信号処理技術によって処理および組み合わされ得る）もまた、本発明にしたがうデバイスに関連した使用に適している。これらのマイクは、可変指向性を有しており、これは、原理的には、録音後のみに設定および最適化され得る。いくつかのカプセル（少なくとも２つのカプセル）が用いられている場合、これらは異なるデータ（指向性関数）を含んだ異なる信号を生成するので、音源の位置は、常に知られなければならない。したがって、本発明はまた、任意のタイプのアレイマイクに適合化される。アレイマイクは、図４に示されている実施形態の例に示されているように、直線に沿って１次元的に配置され得る（アレイマイク１３は、いくつかのカプセル１１から構成されている）か、あるいはアレイマイクは、空間内の表面上に２次元的または３次元的に配置されたり、空間内に分散されたりし得る。ここで一般に、アレイマイクは、ネットワークに結合された音声センサと相互接続することにより、音場（例えば、音源）のより正確な画像を取得することを可能にするために用いられる。
【００３３】
機械的な主方向が（録音の開始前に）決定されること、すなわち座標系が固定されていることが、重要である。機械的な主方向から、空間内におけるカプセル配置の向きを明確に認識することができ、機械的な主方向に関連して、個々の音源の位置が測定される。原理的には、方向または座標系のそれぞれは、音声技術者がカプセル配置を明確に推定することができるように、所望の方法で選択され得る。
【００３４】
本発明の原理は、マイクの向きに関する情報、すなわち、音声が発生している位置または領域に対する、個々のカプセルの空間的な配置が、個々のカプセルによって生成された信号の重み付けプロセスまたは組み合わせプロセスにおいて、考慮されるというに基づいている。信号処理の間に考慮される情報は、少なくとも１つの音源（ソリストおよび／または個々のオーケストラメンバー）の位置に関する情報、いくつかの音源の（例えば、オーケストラのバイオリニストまたは吹奏楽器の演奏者）空間的な重心の方向、マイク信号を回転させたときに最も良く録音することが期待される方向、オーケストラにおける空の席の方向、ならびに干渉信号が来ることが期待される信号（例えば、コンサートホールの聴衆）に関する情報を含み得る。
【００３５】
この情報は、個々の信号の組み合わせおよび重み付けにおいて、重要な役割を演じ、結果として生じた信号の指向性を調整し、最良の結果を達成するために、信号処理プロセスに含められる。
【図面の簡単な説明】
【００３６】
【図１】図１は、本発明にしたがうマイクを、音源の位置を決定するためのバンドル光源と共に示している。
【図２】図２は、本発明の実施形態を示している。
【図３】図３は、音場マイクのカプセルの配置および向きを示している。
【図４】図４は、アレイマイクの概略図を示している。
【図５】図５は、本発明の実施形態を示しており、可動偏向手段を含んでいる。
【図１】
2009509361.tif 000003
【図２】
2009509361.tif 000004
【図３】
2009509361.tif 000005
【図４】
2009509361.tif 000006
【図５】
2009509361.tif 000007
【国際調査報告】
2009509361.tif 000008
2009509361.tif 000009
2009509361.tif 000010